(57)【特許請求の範囲】
【請求項１】
インターネット及び公衆電話回線網を介して他の通信装置との間でファクシミリ通信が可能なファクシミリ装置であって、
ファクシミリ通信に先立ち、前記公衆電話回線網に発呼して応答した相手装置がインターネットを介したファクシミリ通信が可能か否かを判別する判別手段と、
前記判別手段が、相手装置はインターネットを介したファクシミリ通信が可能であると判別すると、相手装置の受信能力及び相手装置のインターネットアドレスを受信して公衆電話回線網の前記相手装置との呼を解放する相手情報受信手段と、
前記相手情報受信手段で受信した受信データに従って前記相手装置との間でインターネットを介したファクシミリ通信を行うファクシミリ通信手段と、
を備え、
前記判別手段によって、相手装置はインターネットを介したファクシミリ通信が可能であると判別した場合、前記ファクシミリ通信手段は、インターネットを介したファクシミリ通信において、前記相手装置に対して通信結果の通知を要求し、
一方、前記判別手段によって、相手装置はインターネットを介したファクシミリ通信が可能でないと判別した場合、公衆電話回線網を介したファクシミリ通信において、前記相手装置に対して通信結果の通知を要求しないことを特徴とするファクシミリ装置。
【請求項２】
前記ファクシミリ通信手段は、前記相手情報受信手段で受信した受信データに従ってインターネットを介して前記相手装置を接続し、インターネットを介したファクシミリ通信を実行する旨の要求及び通信結果を前記公衆電話回線網を介して通知してほしい旨の要求を送出して相手装置との間でインターネットを介したファクシミリ通信を行うことを特徴とする請求項１記載のファクシミリ装置。
【請求項３】
前記ファクシミリ通信手段は、インターネットを介して接続した前記相手装置に、自装置のインターネットアドレスと共にインターネットを介したファクシミリ通信を実行する旨の要求を通知し、自装置の前記公衆電話回線網電話番号と共にファクシミリ通信結果を前記公衆電話回線網を介して通知してほしい旨の要求を通知することを特徴とする請求項２記載のファクシミリ装置。
【請求項４】
インターネットに接続された相手装置よりのインターネットを介したファクシミリ通信を実行する旨の要求及び当該相手装置の前記公衆電話回線網電話番号を通知されると、当該相手装置よりのインターネットを介したファクシミリ通信情報を受信し、公衆電話回線網の前記通知された電話番号の相手に発呼して通信結果を通知するファクシミリ受信手段を備えることを特徴とする請求項３記載のファクシミリ装置。
【請求項５】
ファクシミリ通信手段は、相手装置より受信した受信データに従った前記相手装置のファクシミリ通信能力に基づいてインターネットを介したファクシミリ通信を行うことを特徴とする請求項１乃至請求項４のいずれかに記載のファクシミリ装置。
【請求項６】
前記判別手段が相手装置がインターネットを介したファクシミリ通信能力を有していないと判別するとそのまま接続されている公衆電話回線網を用いて接続相手装置との間でファクシミリ通信を行うことを特徴とする請求項１乃至請求項５のいずれかに記載のファクシミリ装置。
【請求項７】
インターネット及び公衆電話回線網を介して他の通信装置との間でファクシミリ通信が可能なファクシミリ装置におけるファクシミリ通信方法であって、
ファクシミリ通信に先立ち、前記公衆電話回線網に発呼して応答した相手装置がインターネットを介したファクシミリ通信が可能か否かを判別し、
判別した結果、相手装置はインターネットを介したファクシミリ通信が可能である場合には、相手装置の受信能力及び相手装置のインターネットアドレスを受信して、公衆電話回線網の前記相手装置との呼を解放した後に受信した受信データに従って前記相手装置との間でインターネットを介したファクシミリ通信を行い、
前記判別工程によって、相手装置はインターネットを介したファクシミリ通信が可能であると判別した場合、前記ファクシミリ通信手段は、インターネットを介したファクシミリ通信において、前記相手装置に対して通信結果の通知を要求し、
一方、前記判別工程によって、相手装置はインターネットを介したファクシミリ通信が可能でないと判別した場合、公衆電話回線網を介したファクシミリ通信において、前記相手装置に対して通信結果の通知を要求しないことを特徴とするファクシミリ通信方法。
【請求項８】
前記ファクシミリ通信は、受信した受信データに従ってインターネットを介して前記相手装置を接続し、インターネットを介したファクシミリ通信を実行する旨の要求及び通信結果を前記公衆電話回線網を介して通知してほしい旨の要求を送出して相手装置との間でインターネットを介したファクシミリ通信を行うことを特徴とする請求項７記載のファクシミリ通信方法。
【請求項９】
前記ファクシミリ通信は、インターネットを介して接続した前記相手装置に、自装置のインターネットアドレスと共にインターネットを介したファクシミリ通信を実行する旨の要求を通知し、自装置の前記公衆電話回線網電話番号と共にファクシミリ通信結果を前記公衆電話回線網を介して通知してほしい旨の要求を通知することを特徴とする請求項８記載のファクシミリ通信方法。
【請求項１０】
インターネットに接続された相手装置よりのインターネットを介したファクシミリ通信を実行する旨の要求及び当該相手装置の前記公衆電話回線網電話番号を通知されると、当該相手装置よりのインターネットを介したファクシミリ通信情報を受信し、公衆電話回線網の前記通知された電話番号の相手に発呼して通信結果を通知することを特徴とする請求項９記載のファクシミリ通信方法。
【請求項１１】
ファクシミリ通信は、相手装置より受信した受信データに従った前記相手装置のファクシミリ通信能力に基づいてインターネットを介したファクシミリ通信を行うことを特徴とする請求項７乃至請求項１０のいずれかに記載のファクシミリ通信方法。
【請求項１２】
相手装置がインターネットを介したファクシミリ通信能力を有していないと判別するとそのまま接続されている公衆電話回線網を用いて接続相手装置との間でファクシミリ通信を行うことを特徴とする請求項７乃至請求項１１のいずれかに記載のファクシミリ通信方法。
【請求項１３】
前記請求項１乃至請求項１２のいずれか１項に記載の機能を実現するコンピュータプログラム列。
【請求項１４】
前記請求項１乃至請求項１２のいずれか１項に記載の機能を実現するコンピュータプログラムを記憶したコンピュータ可読記録媒体。
【発明の詳細な説明】
【０００１】
【発明の属する技術分野】
本発明はインターネット及び公衆電話回線網を介して他の通信装置との間でファクシミリ通信が可能なファクシミリ装置及びファクシミリ通信方法に関するものである。
【０００２】
【従来の技術】
従来のインターネットを介したファクシミリ装置について、現在、ＩＥＴＦでのＲＦＣ化、ＩＴＵ−Ｔでの勧告化等が進められているが、符号化方法としてはＭＨが、解像度としては２００ｄｐｉが、サイズとしてはＡ４が選定されている程度である。
【０００３】
【発明が解決しようとする課題】
このために、この勧告のみでは相手受信機との間の能力の確認ができず、相手受信機の能力を最大限に活かすことが困難である。また、インターネットを介して送信した情報が、相手機に確実に届いているかいなかを確認できないという大きな欠点があった。
【０００４】
【課題を解決するための手段】
本発明は上述した課題を解決することを目的として成されたもので、係る目的を達成する一手段として例えば以下の構成を備える。
【０００５】
即ち、インターネット及び公衆電話回線網を介して他の通信装置との間でファクシミリ通信が可能なファクシミリ装置であって、ファクシミリ通信に先立ち、前記公衆電話回線網に発呼して応答した相手装置がインターネットを介したファクシミリ通信が可能か否かを判別する判別手段と、前記判別手段が、相手装置はインターネットを介したファクシミリ通信が可能であると判別すると、相手装置の受信能力及び相手装置のインターネットアドレスを受信して公衆電話回線網の前記相手装置との呼を解放する相手情報受信手段と、前記相手情報受信手段で受信した受信データに従って前記相手装置との間でインターネットを介したファクシミリ通信を行うファクシミリ通信手段と、を備え、前記判別手段によって、相手装置はインターネットを介したファクシミリ通信が可能であると判別した場合、前記ファクシミリ通信手段は、インターネットを介したファクシミリ通信において、前記相手装置に対して通信結果の通知を要求し、一方、前記判別手段によって、相手装置はインターネットを介したファクシミリ通信が可能でないと判別した場合、公衆電話回線網を介したファクシミリ通信において、前記相手装置に対して通信結果の通知を要求しないことを特徴とする。
【０００６】
そして例えば、前記ファクシミリ通信手段は、前記相手情報受信手段で受信した受信データに従ってインターネットを介して前記相手装置を接続し、インターネットを介したファクシミリ通信を実行する旨の要求及び通信結果を前記公衆電話回線網を介して通知してほしい旨の要求を送出して相手装置との間でインターネットを介したファクシミリ通信を行うことを特徴とする。
【０００７】
また例えば、前記ファクシミリ通信手段は、インターネットを介して接続した前記相手装置に、自装置のインターネットアドレスと共にインターネットを介したファクシミリ通信を実行する旨の要求を通知し、自装置の前記公衆電話回線網電話番号と共にファクシミリ通信結果を前記公衆電話回線網を介して通知してほしい旨の要求を通知することを特徴とする。
【０００８】
更に例えば、インターネットに接続された相手装置よりのインターネットを介したファクシミリ通信を実行する旨の要求及び当該相手装置の前記公衆電話回線網電話番号を通知されると、当該相手装置よりのインターネットを介したファクシミリ通信情報を受信し、公衆電話回線網の前記通知された電話番号の相手に発呼して通信結果を通知するファクシミリ受信手段を備えることを特徴とする。
【０００９】
また例えば、ファクシミリ通信手段は、相手装置より受信した受信データに従った前記相手装置のファクシミリ通信能力に基づいてインターネットを介したファクシミリ通信を行うことを特徴とする。あるいは、前記判別手段が相手装置がインターネットを介したファクシミリ通信能力を有していないと判別するとそのまま接続されている公衆電話回線網を用いて接続相手装置との間でファクシミリ通信を行うことを特徴とする。
【００１０】
【発明の実施の形態】
以下、図面を参照して本発明に係る一発明の実施の形態例を詳細に説明する。
【００１１】
［第１の実施の形態例］
図１に本発明に係る第１の実施の形態例のファクシミリ装置の構成例を示す。図１は本発明に係る一発明の実施の形態例の構成例を示すブロック図である。
【００１２】
図１において、１００は本実施の形態例のファクシミリ装置であり、公衆電話回線網（ＰＳＴＮ）４００との間で通話路を設定可能に構成されていると共に、ＬＡＮシステム３００にも接続されている。
【００１３】
２００は公衆電話回線網（ＰＳＴＮ）を介してのファクシミリ通信が可能であると共に、インターネットを介してのファクシミリ通信が可能な相手装置、３００はＬＡＮシステム、４００は公衆電話回線網（ＰＳＴＮ）である。
【００１４】
ファクシミリ装置１００において、２はＰＳＴＮ４００との間の回線制御を行なうＮＣＵ（網制御装置）であり、ＰＳＴＮ４００との接続回線（電話回線）２ａに直流ループを形成して発呼制御や被呼制御を行うと共に、ＰＳＴＮ４００を介して他の装置とデータ通信を行なうために電話回線２ａをハイブリッド回路６側に切り替える制御、電話機４を使用して通話を行なうために電話回線２ａを電話機４側に切り替える制御等を行う。
【００１５】
ＮＣＵ２によるこの切り替え制御は、制御回路２０からの信号線２０ａの信号レベルが「０」であれば、電話回線２ａを電話機側に接続し、信号レベルが「１」であれば、電話回線２ａをファクシミリ装置側に接続する。なお、通常状態では、電話回線２ａは、電話機４側に接続されている。
【００１６】
４は電話機である。６はハイブリッド回路であり、送信系の信号と受信系の信号とを分離し、加算回路１２からの送信信号をＮＣＵ２経由で電話回線２ａに送出し、相手側からの信号をＮＣＵ２経由で受取り、信号線６ａ経由で変復調器８に送る。
【００１７】
８は変復調器であり、ＩＴＵ−Ｔ勧告Ｖ．８，Ｖ．２１，Ｖ．２７ｔｅｒ、Ｖ．２９，Ｖ．１７，Ｖ．３４に基づいた変調及び復調を行なう。変復調器８は、信号線２０ｃにより各伝送モードが指定され、信号線２０ｂに出力されている信号を入力し、変調データを信号線８ａに出力し、信号線６ａに出力されている受信信号を入力し、復調データを信号線８ｂに出力する。
【００１８】
１０はＡＮＳａｍ信号を送出するＡＮＳａｍ送出回路であり、信号線２０ｄに信号レベル「１」の信号が出力されている時には信号線１０ａにＡＮＳａｍ信号を送出し、信号線２０ｄに信号レベル「０」の信号が出力されている時には信号線１０ａに何も信号を出力しない。
【００１９】
１２は加算回路であり、信号線８ａの情報と信号線１０ａの情報と信号線２２ａの情報とを入力し、加算した結果を信号線１２ａに出力する。１４は例えばファクシミリ送信するべき原稿データを読み取る読取回路であり、読取りデータを信号線１４ａに出力する。
【００２０】
１６は記録回路であり、信号線２０ｅに出力されている情報を順次１ライン毎に記録する。１８はメモリ回路であり、読取回路１４での読取りデータ情報や、変復調器８で符号化した情報を一時格納したり、また他の装置よりの受信情報、あるいは変復調器８で復号化した情報等を一時格納する。
【００２１】
２２は発呼回路であり、信号線２０ｆに制御回路２０よりの発呼命令信号が出力されると、ＮＣＵ２より電話回線２ａを捕捉して信号線２０ｇに出力されている電話番号情報を入力し、信号線２０ａにダイヤルパルス信号あるいはＤＴＭＦ信号を出力し、ＰＳＴＮ４００に対して送出し、所望の相手装置を発呼する。
【００２２】
２４は操作部であり、ワンタッチダイヤル、短縮ダイヤル、テンキー、＊・＃キー、セットキー、スタートキー、ストップキー、各種登録回路２６，２８，３０への登録キーその他ファンクションキーが配設されている。操作部２４よりの押下されたキー情報は信号線２４ａに出力され制御回路２０でどのキーが押されたのか判別される。
【００２３】
２６はワンタッチダイヤル登録回路であり、信号線２６ａを介して操作部２４のワンタッチダイヤル０１から２４にそれぞれ対応付けられたダイヤル番号が登録される。２８は自ファクシミリ装置が所有するＥメールアドレスを登録するアドレス登録回路であり、信号線２８ａを介してＥメールアドレスの登録／読み出し制御が行われる。
【００２４】
３０は自装置に割当てられた電話番号を登録する電話番号登録回路であり、信号線３０ａを介して自機の電話番号が登録／読み出し制御される。
【００２５】
２０は本実施例ファクシミリ装置の全体制御を司どる制御回路であり、後述するフローチャートに従った処理を行っている。制御回路２０は、インターネット５００を介したファクシミリ通信を行なう時には、ＰＳＴＮ４００を介して、相手ファクシミリ装置、例えば相手装置２００を発呼する。
【００２６】
相手装置２００が応答すると相手装置２００の有する機能情報の送信を要求して相手装置２００の能力を判別し、インターネット５００を介したファクシミリ通信の能力を有していれば、相手装置のインターネット５００上での受信能力及び、ＩＰアドレス２を受信して例えばメモリ回路１８に一時記憶し、一度ＰＳＴＮ４００を介して形成している呼を解放する。
【００２７】
その後、受取ったＩＰアドレス２に従ってインターネット５００を介して相手装置と接続し、ファクシミリ通信を実行する旨、及び、本実施の形態例装置１００へ通信結果をＰＳＴＮ４００を介して通知してほしい旨を通知する。
【００２８】
即ち、相手装置がインターネット５００を介したファクシミリ通信の能力を有している場合には、本実施の形態例装置１００からインターネットを介して相手装置と接続し、本実施の形態例装置１００のＩＰアドレス、及び、通信番号、電話番号を相手装置に通知し、さらに、相手装置から通知された受信能力に基づいて情報をインターネットを介して送信する。
【００２９】
インターネット５００を介したファクシミリ通信を実行する旨を通知された相手装置は、通知されたＩＰアドレスからのインターネットを介したファクシミリ受信を実行すると、その通信結果を本実施の形態例装置１００から通知された電話番号に発呼し、ＰＳＴＮ４００を介してファクシミリ通信結果を本実施の形態例装置１００に通知する。
【００３０】
また、制御回路２０は、ファクシミリ通信を選択してＰＳＴＮ４００を介して例えば相手装置の機能を受け取った時に、相手装置がインターネットを介したファクシミリ通信の能力を有していないときには、そのまま、ＰＳＴＮ４００を介したファクシミリ通信を実行する。
【００３１】
ＬＡＮシステム３００において、３２はＰＣ−Ａ、３４はＰＣ−Ｂ、３６はＰＣ−Ｃ、３８はＰＣ−Ｄ、４０はＰＣ−Ｅ、４２はＰＣ−Ｆであり、各ＰＣ（パーソナルコンピュータ）Ａ〜Ｆは信号線２０ｈのＬＡＮを経由して互いに接続されている。なお、本実施の形態例装置１００も信号線２０ｈのＬＡＮを経由して各ＰＣーＡ〜Ｆと互いに接続されている。
【００３２】
以上の構成を備える本実施の形態例のファクシミリ通信制御を図２乃至図７に示すフローチャートを参照して以下に説明する。
【００３３】
図２乃至図６は本実施の形態例のファクシミリ通信制御を説明するためのフローチャートである。以下、図２乃至図６を参照して本実施の形態例のファクシミリ通信制御を説明する。
【００３４】
本実施の形態例においては、装置が起動されるとまず図２のステップＳ２の処理に移行し、信号線２８ａを介してアドレス登録回路２８の登録情報をクリアする。続いてステップＳ４で、信号線３０ａを介して電話番号登録回路３０の登録情報をクリアする。ステップＳ６で、信号線２６ａを介してワンタッチダイヤル登録回路２６の登録情報をクリアする。
【００３５】
次にステップＳ８で本実施の形態例装置の保持する通信番号に初期値である「０００１」をセットする。ステップＳ１０では、信号線２０ａに信号レベル「０」の信号を出力してＮＣＵ２にＣＭＬをオフさせ電話回線２ａを電話機▲４▼側に接続する。続くステップＳ１２では、信号線２０ｄに信号レベル「０」の信号を出力し、ＡＮＳａｍ信号を送信しない様に制御する。
【００３６】
次にステップＳ１４で信号線２４ａよりの入力情報を調べ、操作部２４よりの操作入力があるか否かを調べる。そして、ワンタッチダイヤル登録回路２６への登録を選択する旨の操作入力がされたか否かが判断される。ここで、ワンタッチダイヤル登録回路２６への登録を選択する旨の操作入力でなければステップＳ１８に進む。
【００３７】
一方、ステップＳ１４でワンタッチダイヤル登録回路２６への登録が選択されるとステップＳ１６に進み、信号線２６ａを介して操作部２４より操作入力されるワンタッチダイヤル情報（ワンタッチ電話番号）をワンタッチダイヤル登録回路２６のワンタッチダイヤルに対応した所定領域に登録する。そしてステップＳ１８に進む。
【００３８】
ステップＳ１８では、信号線２４ａよりの入力情報を調べ、操作部２４よりアドレス登録回路２８への登録を選択する旨の操作入力がされたか否かが判断される。操作部２４よりの操作入力がアドレス登録回路２８への登録を選択する旨の操作入力でない場合にはステップＳ２２に進む。
【００３９】
一方、ステップＳ１８で操作部２４よりの操作入力がアドレス登録回路２８への登録を選択する旨の操作入力の場合にはステップＳ２０に進み、信号線２８ａを介して操作部２４より操作入力される本実施の形態例装置のＥメールアドレスをアドレス登録回路２８へ登録する。そしてステップＳ２２に進む。
【００４０】
ステップＳ２２では、信号線２４ａよりの入力情報を調べ、操作部２４より電話番号登録回路３０への登録を選択する旨の操作入力がされたか否かが判断される。操作部２４よりの操作入力が電話番号登録回路３０への登録を選択する旨の操作入力でない場合にはステップＳ２６に進む。
【００４１】
一方、ステップＳ２２で操作部２４よりの操作入力が電話番号登録回路３０への登録を選択する旨の操作入力の場合にはステップＳ２４に進み、信号線３０ａを介して操作部２４より操作入力される本実施の形態例装置の電話番号を電話番号登録回路３０へ登録する。そしてステップＳ２６に進む。
【００４２】
ステップＳ２６では、操作部２４よりの操作入力がファクシミリ情報の送信指示入力か否かを調べる。送信指示入力でない場合にはステップＳ２８に進み、操作部２４よりの操作入力が受信指示入力か否かを調べる。受信指示入力でもない場合にはステップＳ３０に進み、操作部２４よりの操作入力に対応した処理を実行する。そして、当該処理が終了するとステップＳ１０に戻る。
【００４３】
一方、ステップＳ２６で操作部２４よりの操作入力がファクシミリ情報の送信指示入力の場合にはステップＳ３２に進み、信号線２０ａに信号レベル「１」の信号を出力し、ＣＭＬをオンして電話回線２ａをハイブリッド回路６側に接続する。制御回路２０は同時に発呼回路２２を起動すると共にＮＣＵ２に指示してＰＳＴＮ４００に発呼し、所望相手先電話番号を送出させて所望相手装置と接続状態とする。そしてステップＳ３４に進む。
【００４４】
ステップＳ３４では、相手装置との前手順処理を実行する。この前手順処理では、応答した相手装置の機能（受信能力）を受信し例えばメモリ回路１８に記憶する。そして続くステップＳ３６で、相手装置にインターネットを介したファクシミリ通信機能があるか否かを判断する。相手装置にインターネットを介したファクシミリ通信機能があるとステップＳ４８に進み、相手装置にインターネットを介したファクシミリ通信機能がないとステップＳ３８に進む。
【００４５】
ステップＳ３８では、残りの前手順を実行する。ここでは、呼を一度解放し、インターネットを介したファクシミリ通信をする旨、及び、自機の宛先へ通信結果をＰＳＴＮを介して通知してほしい旨をともに通知しない。
【００４６】
これでファクシミリ通信準備ができたため、続くステップＳ４０で読取回路１４により送信原稿を読み取り、所定の画像処理を施して変復調回路８で変調してハイブリッド回路６、ＮＵＣ２、ＰＳＴＮ４００を介して画信号の相手装置へのファクシミリ送信を行なう。ファクシミリ送信が終了するとステップＳ４２に進み、所定の後手順を実行する。
【００４７】
後手順が終了するとステップＳ４４に進み、信号線２０ａに信号レベル「０」の信号を出力してＣＭＬをオフし、ＮＣＵ２に指示してＰＳＴＮ４００との呼を解放する。そしてステップＳ４６で通信番号に対応した通信結果をメモリ回路１５の通信結果記憶領域に記憶する。この情報は、操作部２４からの指定により読み出して出力することが可能である。
【００４８】
その後ステップＳ５８に進み、通信番号の値を１つインクリメントしてステップＳ１０に戻る。
【００４９】
一方、ステップＳ３６の判断で相手装置にインターネットを介したファクシミリ通信機能がある場合にはステップＳ４８に進み、本実施の形態例に特有の残りの前手順を実行する。具体的には、以下の各手順を実行する。
【００５０】
まず呼を一旦解放しインターネットを介したファクシミリ通信をする旨を通知する。
【００５１】
続いて本実施の形態例ファクシミリ装置１００の電話番号、及びＥメールアドレスを通知し、また、これから送信する通信番号を通知する。
【００５２】
更に相手装置から、相手装置のＥメールアドレスを受信し、記憶する。
【００５３】
最後に自ファクシミリ装置１００の先に通知した電話番号へ通信結果をＰＳＴＮ４００を介して通知してほしい旨を通知する。
【００５４】
そして続くステップＳ５０で信号線２０ａに信号レベル「０」の信号を出力してＣＭＬをオフし、ＮＣＵ２に指示してＰＳＴＮ４００との呼を解放する。そしてステップＳ５２で相手装置から通知されたＥメールアドレスへＴＣＰ／ＩＰプロトコルを実行して接続する。
【００５５】
次にステップＳ５４でＰＳＴＮ４００を介して受信した相手装置の受信能力と本実施の形態例装置側で選択している送信モードから判定し、伝送サイズ、符号化方法、線密度を決定し符号化して、Ｔｉｆｆ−ｆｘフォーマット化してＳＭＴＰで送信する。なおこのとき、ヘッダにより自装置のＥメールアドレス、電話番号、通信番号を通知する。
【００５６】
そしてステップＳ５６で読取回路１４により送信原稿を読み取り、所定の画像処理を施して通信番号に対応し、インターネットを介したファクシミリ通信を行い、通信番号に対応した通信結果をメモリ回路１５の通信結果記憶領域に記憶する。この情報は、操作部２４からの指定により読み出して出力することが可能である。その後ステップＳ５８に進む。
【００５７】
一方、ステップＳ２８で操作部２４よりの操作入力が受信指示入力の場合にはステップＳ６０に進み、ＰＳＴＮ４００からの受信であるか否かを判断する。ＰＳＴＮ４００からの受信であるとステップＳ６１に進み、信号線２０ａに信号レベル「１」の信号を出力し、ＣＭＬをオンしてＰＳＴＮ４００との呼を接続する。そしてステップＳ６２で前手順を実行する。この前手順では自装置１００がインターネットを介したファクシミリ通信の能力が有るか否かを通知する。本実施の形態例の場合にはファクシミリ通信の能力が有る旨を通知する。
【００５８】
そしてステップＳ６４に進み、インターネットを介したファクシミリ通信の通信結果の受信であるか否かを判断する。インターネットを介したファクシミリ通信の通信結果の受信である場合にはステップＳ６６に進み、相手装置から通知された通信番号に対応した相手装置から通知された通信結果をメモリ回路１８の通信結果記憶領域に記憶する。なお、この記憶情報は、操作部２４からの指定により読み出し出力することが可能である。その後ステップＳ１０に進む。
【００５９】
一方、ステップＳ６４でインターネットを介したファクシミリ通信の通信結果の受信でない場合にはステップＳ６８に進み、一度呼を解放してインターネットを介したファクシミリ通信を実行することが通知されたか否かを判断する。呼を解放してインターネットを介したファクシミリ通信を実行することが通知されていない場合にはステップＳ７０に進み、ステップＳ３８に対応する通常のＰＳＴＮ４００における残りの前手順処理を実行する。
【００６０】
続いてステップＳ７２において、ステップＳ４２に対応する画信号のファクシミリ受信を行い、メモリ回路１８への記録を行なう。そしてステップＳ７４に進み、ステップＳ４２に対応する後手順を実行してステップＳ１０に進む。
【００６１】
一方、ステップＳ６８で一度呼を解放してインターネットを介したファクシミリ通信を実行することが通知されていた場合にはステップＳ７６に進み、ステップＳ４８に対応するインターネット用の残りの前手順を実行する。即ち、送信側の相手装置の電話番号及び、Ｅメールアドレス、通信番号を受信して記憶する。また、本実施の形態例装置のＥメールアドレスを通知する。また、相手装置からのＰＳＴＮ４００を介した通信結果がほしいか不要かの通知内容も記憶する。そしてステップＳ１０に進む。
【００６２】
一方、ステップＳ２８でインターネットからの受信であるとステップＳ７８に進み、ＴＣＰ／ＩＰプロトコルを実行する。続いてステップＳ８０でＴｉｆｆ−ｆｘフォーマット化されたＳＭＴＰの画信号を受信し、メモリ回路１８の所定領域に記録する。なお、同時に、ヘッダ情報も記憶しておく。
【００６３】
続くステップＳ８２では、今、受信したヘッダ情報の管理情報（送信側装置の電話番号、通信番号、Ｅメールアドレス）はＰＳＴＮ４００を利用した受信時、インターネットを介した通信を実行する通知のあった電話番号、通信番号、Ｅメールアドレスに一致するものはあるか否かを判断する。
【００６４】
受信したヘッダ情報の管理情報がインターネットを介した通信を実行する通知のあった電話番号、通信番号、Ｅメールアドレスに一致していない場合にはステップＳ１０に進む。
【００６５】
一方、ステップＳ８２で受信したヘッダ情報の管理情報がインターネットを介した通信を実行する通知のあった電話番号、通信番号、Ｅメールアドレスに一致している場合にはステップＳ８４に進み、信号線２０ａに信号レベル「１」の信号を出力し、ＣＭＬをオンし、ＰＳＴＮ４００の回線を捕捉する。続いてステップＳ８６で発呼回路２２を使用して先に送信側装置から通知された電話番号に発呼する。
【００６６】
続くステップＳ８８でＰＳＴＮ４００の前手順を実行し、送信側装置から指定された通信番号と、その通信番号のインターネットを介したファクシミリ受信の通信結果をＰＳＴＮ４００を介して通知する。そしてステップＳ１０に戻る。
【００６７】
以上説明したように本実施の形態例によれば、例えば、インターネットを介したファクシミリ通信が可能なファクシミリ装置において、ファクシミリ通信が選択時、ＰＳＴＮを介して、ダイヤルし、相手装置がインターネットを介したファクシミリ通信の能力を有していれば、相手装置の受信能力、及びＥメールアドレスを受信し、さらに記憶し、一度呼を解放後、インターネットを介したファクシミリ通信を実行する旨及び自機の宛先へ通信結果をＰＳＴＮを介して通知してほしい旨を通知することが可能になる。
【００６８】
また、本実施の形態例装置のＥメールアドレス、通信番号、及び電話番号を相手装置に通知し、相手装置から本実施の形態例装置に自機のＥメールアドレスを通知することが可能になる。
【００６９】
更に、インターネットを介したファクシミリ通信を実行する旨を通知された相手装置は、通知されたＥメールアドレスからのインターネットを介したファクシミリ受信を実行すると、その通信結果を本実施の形態例装置から通知された電話番号に発呼し、ＰＳＴＮを介して通知することが可能になる。
【００７０】
更にまた、ファクシミリ通信が選択時、ＰＳＴＮを介してダイヤルし、相手装置がインターネットを介したファクシミリ通信の能力を有していないと、そのままＰＳＴＮを介したファクシミリ通信を実行することが可能になる。あるいは、相手装置がインターネットを介したファクシミリ通信の能力を有している場合、相手装置から通知された受信能力に基づいて、情報をインターネットを介して、送信することが可能になる。
【００７１】
本実施の形態例は、これらのことが可能となる結果、本実施の形態例装置が、ＰＳＴＮを介したファクシミリ通信を試み、相手装置に、インターネットを介してファクシミリ通信する能力があれば、ここで、相手装置の受信能力を受信しておき、さらに、相手装置に、インターネットを介したファクシミリ通信を実行する旨と、ＰＳＴＮを介して通信結果をほしい旨を通知し、その後、インターネットを介したファクシミリ通信ができるので、受信能力を最大限に活かし、かつ、送達確認可能なファクシミリ装置の提供が可能になり、通信時間、通信コストが軽減でき、ユーザーの利便性が向上する。ここで、相手装置がインターネットを介したファクシミリ通信ができない場合は、そのまま、ＰＳＴＮを介したファクシミリ通信が可能であり、ユーザーの利便性が損なわれることもない、使いやすいファクシミリ装置が提供できる。
【００７２】
[他の実施形態例]
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００７３】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００７４】
この場合、記憶媒体から読出されたプログラムコード自体が前述した実施形態の機能を実現することになり、そのプログラムコードを記憶した記憶媒体は本発明を構成することになる。
【００７５】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７８】
本発明を上記記憶媒体に適用する場合、その記憶媒体には、先に説明したフローチャートに対応するプログラムコードを格納することになる。
【００７９】
【発明の効果】
以上説明したように本発明によれば、インターネットを介してファクシミリ通信を行なう場合に相手装置の情報を受信することができ、相手装置との通信能力を最大限に活かし、かつ送信確認可能なファクシミリ装置の提供が可能になり、利便性を向上させることができる。
【００８０】
また、インターネットを介したファクシミリ通信ができない場合は、そのままファクシミリ通信が可能であり、操作の容易なファクシミリ通信が可能となる。
【図面の簡単な説明】
【図１】本発明に係る一発明の実施の形態例の構成例を示すブロック図である。
【図２】本実施の形態例のファクシミリ通信制御を説明するためのフローチャートである。
【図３】本実施の形態例のファクシミリ通信制御を説明するためのフローチャートである。
【図４】本実施の形態例のファクシミリ通信制御を説明するためのフローチャートである。
【図５】本実施の形態例のファクシミリ通信制御を説明するためのフローチャートである。
【図６】本実施の形態例のファクシミリ通信制御を説明するためのフローチャートである。
【符号の説明】
２  ＮＣＵ
４  電話機
６  ハイブリッド回路
８  変復調器
１０  ＡＮＳａｍ送出回路
１２  加算回路
１４  読取回路
１６  記録回路
１８  メモリ回路
２０  制御回路
２２  発呼回路
２４  操作部
２６  ワンタッチダイヤル登録回路
２８  アドレス登録回路
３０  電話番号登録回路
３２  ＰＣＡ
３４  ＰＣＢ
３６  ＰＣＣ
３８  ＰＣＤ
４０  ＰＣＥ
４２  ＰＣＦ
１００  ファクシミリ装置
２００  相手装置
３００  ＬＡＮシステム
４００  ＰＳＴＮ
５００  インターネット
【図１】
0003647291.tif 000002
【図２】
0003647291.tif 000003
【図３】
0003647291.tif 000004
【図４】
0003647291.tif 000005
【図５】
0003647291.tif 000006
【図６】
0003647291.tif 000007